(57)【要約】【課題】光スイッチを直列に複数接続した通信システムにおける通信品質の劣化を防ぐ。【解決手段】制御装置５は、管理装置２０からの制御信号に基づいてマイクロミラー装置３ａ，３ｂのミラー２３０を摂動させ、駆動電圧と出力光のパワーとの相関関係を求めて、出力光の最適なパワーが得られる最適な駆動電圧を求める。各制御信号は、各光スイッチ１０において、摂動を行う時期が他の光スイッチ１０と重複しないように生成されているので、各光スイッチ１０ａ〜１０ｃのミラー２３０は、他の光スイッチ１０のミラー２３０と同期せずに摂動を行うこととなる。したがって、ある時点において摂動を行う光スイッチ１０は高々１つの光スイッチ１０となる。これにより、各光スイッチ１０ａ〜１０ｃのミラー２３０の摂動が同期するのを防ぐことができるので、結果として通信品質の劣化を防ぐことができる。【選択図】  図１
2008096675.tif 000002
【特許請求の範囲】
【請求項１】
入力光を入力する少なくとも１つの入力ポートと、
出力光を出力する少なくとも１つの出力ポートと、
回動可能に支持されたミラーにより、前記入力ポートに入力された入力光を偏向させて任意の前記出力ポートに選択的に入射させるミラー装置と、
前記ミラーを摂動させて前記出力光のパワーが最適値になる前記ミラーの偏向角を求める制御装置と
を備えた光スイッチにおいて、
前記制御装置は、直列に接続された他の光スイッチにおける摂動と同期させずに当該光スイッチの前記ミラーを摂動させる
ことを特徴とする光スイッチ。
【請求項２】
前記制御装置は、外部より入力される制御信号に基づいて前記ミラーを摂動させる
ことを特徴とする請求項１記載の光スイッチ。
【請求項３】
前記制御信号は、前記ミラーを摂動する際のタイミング、周波数および位相の何れかを特定する
ことを特徴とする請求項２記載の光スイッチ。
【請求項４】
前記入力光のパワーを測定する入力光測定装置と、
この入力光測定装置により測定された前記入力光のパワーの変化から前記他の光スイッチにおけるミラーの摂動を検出する検出手段と
をさらに備え、
前記制御装置は、前記検出手段による検出結果に基づいて当該光スイッチの前記ミラーを摂動させる
ことを特徴とする請求項１記載の光スイッチ。
【請求項５】
前記検出手段は、前記他の光スイッチにおけるミラーの摂動のタイミング、周波数および位相の何れかを検出する
ことを特徴とする請求項４記載の光スイッチ。
【請求項６】
前記制御装置は、当該光スイッチのミラーの摂動、前記検出手段による前記他の光スイッチにおけるミラーの摂動の検出、並びに、前記摂動および前記検出を行わない待機のうちの何れかを順次行う
ことを特徴とする請求項４または５記載の光スイッチ。
【請求項７】
入力光を入力する少なくとも１つの入力ポートと、出力光を出力する少なくとも１つの出力ポートと、回動可能に支持されたミラーにより、前記入力ポートに入力された入力光を偏向させて任意の前記出力ポートに選択的に入射させるミラー装置と、前記ミラーを摂動させて前記出力光のパワーが最適値になる前記ミラーの偏向角を求める制御装置とを備え、直列に接続された複数の光スイッチと、
前記光スイッチの各々におけるミラーの摂動を制御する制御信号を送出する管理装置と
を備え、
前記制御装置は、前記制御信号に基づいて前記ミラー装置を摂動させ、
前記管理装置は、前記制御信号により前記光スイッチ間におけるミラーの摂動を同期させない
ことを特徴とする通信システム。
【発明の詳細な説明】
【技術分野】
【０００１】
本発明は、光スイッチおよびこの光スイッチを備えた通信システムに関するものである。
【背景技術】
【０００２】
光スイッチを実現するための技術の一つとして、マイクロミラーを用いたものが提案されている（例えば、非特許文献１参照。）。マイクロミラーを用いた従来の光スイッチを図５に示す。
【０００３】
図５に示す光スイッチは、入力ポート１ａと、出力ポート１ｂと、入力側マイクロミラーアレイ２ａと、出力側マイクロミラーアレイ２ｂとを備えている。入力ポート１ａと出力ポート１ｂは、それぞれ２次元的に配列された複数の光ファイバからなり、マイクロミラーアレイ２ａ，２ｂは、それぞれ２次元的に配列された複数のマイクロミラー装置３ａ，３ｂからなる。なお、図５における矢印は光ビームの進行方向を示している。
【０００４】
ある入力ポート１ａから出射した光信号は、この入力ポート１ａに対応する入力側マイクロミラーアレイ２ａのマイクロミラー装置３ａのミラーにより反射されて進行方向が変化させられる。後述するように、マイクロミラー装置３ａのミラーは２軸回りに回動可能に構成されており、マイクロミラー装置３ａの反射光を出力側マイクロミラーアレイ２ｂの任意のマイクロミラー装置３ｂに向けることができる。同様に、マイクロミラー装置３ｂのミラーも２軸回りに回動可能に構成されており、ミラーの傾斜角を適当に制御することにより、マイクロミラー装置３ｂの反射光を任意の出力ポート１ｂに向けることができる。したがって、入力側マイクロミラーアレイ２ａと出力側マイクロミラーアレイ２ｂのミラーの傾斜角を適当に制御することにより光路の切り替えを行い、２次元的に配列された任意の入力ポート１ａと出力ポート１ｂとの間を接続することができる。
【０００５】
このような光スイッチの構成要素として最も特徴的なものがミラーを有するマイクロミラー装置３ａ，３ｂである。従来より、マイクロミラー装置は、図６，図７に示すように、ミラーが形成されたミラー基板２００と、電極が形成された電極基板３００とが並行に配設された構造を有する（例えば、非特許文献１参照。）。
【０００６】
ミラー基板２００は、板状の枠部２１０と、枠部２１０の開口内に配設された可動枠２２０と、可動枠２２０の開口内に配設されたミラー２３０とを有する。枠部２１０、トーションバネ２１１ａ，２１１ｂ，２２１ａ，２２１ｂ、可動枠２２０およびミラー２３０は例えば単結晶シリコンで一体形成されている。ミラー２３０の表面には例えば３層のＴｉ／Ｐｔ／Ａｕ層が形成されている。一対のトーションバネ２１１ａ，２１１ｂは、枠部２１０と可動枠２２０とを連結している。可動枠２２０は、一対のトーションバネ２１１ａ，２１１ｂを通る図６の可動枠回転軸Ｘを軸として回動することができる。同様に、一対のトーションバネ２２１ａ，２２１ｂは、可動枠２２０とを連結している。ミラー２３０は、一対のトーションバネ２２１ａ，２２１ｂを通る図６のミラー回動軸Ｙを軸として回動することができる。可動枠回動軸Ｘとミラー回動軸Ｙとは、互いに直交している。結果として、ミラー２３０は、直交する２軸で回動する。
【０００７】
電極基板３００は、板状の基部３１０と、段丘状の突出部３２０とを有する。基部３１０と突出部３２０は例えば単結晶シリコンからなる。突出部３２０は、基部３１０の上面に形成された角錐台の形状を有する第２テラス３２２と、第２テラス３２２の上面に形成された角錐台の形状を有する第１テラス３２１と、第１テラス３２１の上面に形成された柱状の形状を有するピボット３３０とから構成される。突出部３２０の四隅とこの四隅に続く基部３１０の上面には、４つの電極３４０ａ〜３４０ｄが形成されている。また、基部３１０の上面には、突出部３２０を挟むように併設された一対の凸部３６０ａ，３６０ｂが形成されている。さらに、基部３１０の上面には、配線３７０が形成されており、この配線３７０には、引き出し線３４１ａ〜３４１ｄを介して電極３４０ａ〜３４０ｄが接続されている。なお、基部３１０の表面には酸化シリコン等からなる絶縁層３１１が形成されており、この絶縁層３１１の上に電極３４０ａ〜３４０ｄ、引き出し線３４１ａ〜３４１ｄ、配線３７０が形成されている。
【０００８】
以上のようなミラー基板２００と電極基板３００とは、ミラー２３０と電極３４０ａ〜３４０ｄとが対向配置されるように、枠部２１０の下面と凸部３６０ａ，３６０ｂの上面とを接合することにより、図７に示すようなマイクロミラー装置を構成する。このようなマイクロミラー装置においては、ミラー２３０を接地し、電極３４０ａ〜３４０ｄに正の駆動電圧を与えて、しかも電極３４０ａ〜３４０ｄ間に非対称な電位差を生じさせることにより、ミラー２３０を静電引力で吸引し、ミラー２３０を任意の方向へ回動させることができる。
【０００９】
【非特許文献１】T.Yamamoto, et al., 「A three-dimensional MEMS optical switching module having 100 input and 100 output ports」, Photonics Technology Letters, IEEE, Volume 15, Issue:10, pp1360-1362
【発明の開示】
【発明が解決しようとする課題】
【００１０】
上述した光スイッチにおいては、ミラー２３０の傾斜角を制御する制御装置（図示せず）は、マイクロミラー装置３ａ，３ｂに周期的に変化する駆動電圧を供給してミラー２３０に摂動（振動）を与えながら、出力ポート１ｂの出力端側に設けられた出力光測定装置（図示せず）によって出力光の強度を測定し、駆動電圧と出力光の強度との関係を求めて、ミラー２３０の最適な傾斜角が得られる最適な駆動電圧（例えば出力光の強度が最適となる駆動電圧）を求めるのが一般的である。
【００１１】
摂動を与えると出力光のパワーは変動するが、この変動は、１つの光スイッチでは微小である。しかしながら、上述したような光スイッチを、例えばリング型のネットワークのように直列に複数接続した場合、各光スイッチの摂動が同期すると、出力光のパワーの変動が増幅する。このようにパワーの変動が増幅すると、出力光のパワーが安定せず、最適な駆動電圧を求めることが困難となるとともに、通信品質の劣化が発生することもあった。
【００１２】
そこで、本願発明は上述したような課題を解消するためになされたものであり、光スイッチを直列に複数接続した通信システムにおける通信品質の劣化を防ぐことを目的とする。
【課題を解決するための手段】
【００１３】
上述したような課題を解消するために、本発明に係る光スイッチは、入力光を入力する少なくとも１つの入力ポートと、出力光を出力する少なくとも１つの出力ポートと、回動可能に支持されたミラーにより、入力ポートに入力された入力光を偏向させて任意の出力ポートに選択的に入射させるミラー装置と、ミラーを摂動させて出力光のパワーが最適値になるミラーの偏向角を求める制御装置とを備えた光スイッチにおいて、制御装置は、直列に接続された他の光スイッチにおける摂動と同期させずに当該光スイッチのミラーを摂動させることを特徴とする。
【００１４】
上記光スイッチにおいて、制御装置は、外部より入力される制御信号に基づいてミラーを摂動させるようにしてもよい。ここで、制御信号は、ミラーを摂動する際のタイミング、周波数および位相の何れかを特定するようにしてもよい。
【００１５】
また、上記光スイッチにおいて、入力光のパワーを測定する入力光測定装置と、この入力光測定装置により測定された入力光のパワーの変化から他の光スイッチにおけるミラーの摂動を検出する検出手段とをさらに備え、制御装置は、検出手段による検出結果に基づいて当該光スイッチのミラーを摂動させるようにしてもよい。ここで、検出手段は、他の光スイッチにおけるミラーの摂動のタイミング、周波数および位相の何れかを検出するようにしてもよい。また、制御装置は、当該光スイッチのミラーの摂動、検出手段による他の光スイッチにおけるミラーの摂動の検出、並びに、上記摂動および上記検出を行わない待機のうちの何れかを順次行うようにしてもよい。
【００１６】
また、本発明に係る通信システムは、入力光を入力する少なくとも１つの入力ポートと、出力光を出力する少なくとも１つの出力ポートと、回動可能に支持されたミラーにより、入力ポートに入力された入力光を偏向させて任意の出力ポートに選択的に入射させるミラー装置と、ミラーを摂動させて出力光のパワーが最適値になるミラーの偏向角を求める制御装置とを備え、直列に接続された複数の光スイッチと、光スイッチの各々におけるミラーの摂動を制御する制御信号を送出する管理装置とを備え、制御装置は、制御信号に基づいてミラー装置を摂動させ、管理装置は、制御信号により光スイッチ間におけるミラーの摂動を同期させないことを特徴とする。
【発明の効果】
【００１７】
本発明によれば、制御装置により他の光スイッチと同期させずに当該ミラー装置のミラーを摂動させることにより、出力光のパワーの変動が増幅されるのを防ぐこと可能となるので、最適な駆動電圧を検出することができ、また通信品質の劣化を防ぐことができる。
【発明を実施するための最良の形態】
【００１８】
［第１の実施の形態］
以下、図面を参照して、本発明の第１の実施の形態について説明する。なお、本実施の形態において、図４〜図６を参照して背景技術の欄で説明した構成要素と同等の構成要素については同じ名称および符号を付し、その説明を適宜省略する。
【００１９】
図１に示すように、本実施の形態に係る光スイッチを有する通信システムは、リング型のネットワーク３０よりリング状に直列に接続された光スイッチ１０ａ〜１０ｃと、各光スイッチに接続された管理装置２０とを備える。ここで、光スイッチ１０ａ〜１０ｃは、それぞれ同等の構成を有する。
【００２０】
［光スイッチの構成］
図２に示すように、光スイッチ１０ａ〜１０ｃを構成する光スイッチ１０は、入力ポート１ａと、出力ポート１ｂと、入力側マイクロミラー装置３ａと、出力側マイクロミラー装置３ｂと、出力光測定装置４と、制御装置５とを備える。
【００２１】
出力光測定装置４は、出力ポート１ｂから出射された出力光のパワー、すなわち強度を検出し、電気信号に変換する。このような出力光測定装置４の構成例としては、出力光の一部を切り出して、フォトダイオードなどの受光素子で出力光のパワーを測定する構成が考えられる。
【００２２】
制御装置５は、マイクロミラー装置３ａ，３ｂに電圧（以下、「駆動電圧」という）を供給して、ミラー２３０を所定の角度に傾斜させる。また、後述する管理装置からの制御信号に基づいて、駆動電圧に微小な変動を与え、ミラー２３０を摂動させる。このとき、出力光測定装置４からの電気信号に基づいて、ミラー装置３ａ，３ｂの最適な駆動電圧を求める。
【００２３】
［管理装置の構成］
図２に示すように、管理装置２０は、出力部２１と、信号生成部２２と、制御部２３とを備える。
【００２４】
出力部２１は、制御部２３の指示に基づいて、信号生成部２２により生成された制御信号を光スイッチ１０ａ〜１０ｃに送る。
【００２５】
信号生成部２２は、各光スイッチ１０に対してミラー２３０の摂動を制御する制御信号を生成する。各制御信号は、光スイッチ１０ａ〜１０ｃのミラー２３０が他の光スイッチ１０のミラー２３０と同期せずに摂動するように生成される。ここで、同期するとは、２つ以上の光スイッチ１０におけるミラー２３０の摂動が、発生時点、発生期間、周波数、位相などに関して一致することを意味する。したがって、もし、２以上の光スイッチ間でミラーの摂動が同期すると、１の光スイッチの摂動による出力光のパワーの変動が、他の光スイッチの摂動によって増幅されることとなる。例えば、光スイッチ１０が図１に示すようなネットワーク３０によりリング状に直列に接続されている場合、各光スイッチ１０のミラー２３０の摂動が同期すると、各光スイッチ１０の出力光のパワーの変動が増幅し、出力光のパワーが安定しない。そこで、本実施の形態では、信号生成部２２により制御信号を生成し、この制御信号に基づいて各光スイッチ１０が摂動を行うようにすることにより、各光スイッチ１０の摂動が同期するのを防ぐ。
【００２６】
なお、本実施の形態では、管理装置２０は、制御信号により、ミラー２３０の摂動するタイミングを特定する。すなわち、信号生成部２２は、各光スイッチ１０のミラー２３０がそれぞれ異なる時期に摂動し、他の光スイッチ１０のミラー２３０と同時に摂動しないように、制御信号を生成する。
【００２７】
制御部２３は、信号生成部２２により生成された制御信号を出力部２１を介して光スイッチ１０ａ〜１０ｃそれぞれに送る。
【００２８】
［通信システムの動作］
次に、本実施の形態に係る通信システムの動作について説明する。
【００２９】
まず、管理装置２０は、信号生成部２２により各光スイッチ１０ａ〜１０ｃが摂動を行うタイミングを特定する制御信号を生成し、これを出力部２１により光スイッチ１０ａ〜１０ｃそれぞれに送る。この送出は、連続して行われたり、所定間隔で行われたりする。
【００３０】
各光スイッチ１０ａ〜１０ｃは、管理装置２０から受け取った制御信号に基づいて、摂動動作を行う。具体的には、制御装置５は、まず、入力側マイクロミラー装置３ａと出力側マイクロミラー装置３ｂのそれぞれに駆動電圧を供給し、任意のマイクロミラー装置３ａ，３ｂのミラーを所定の角度に傾け、入力ポート１ａから出射した入力光を特定の出力ポート１ｂから出射させる。このとき、制御装置５は、出力光の強度が最適となるミラー２３０の回動角が得られる最適な駆動電圧を求めるため、駆動電圧に周期的に変化する微小な電圧変化を与えて、ミラー２３０を微小に摂動（振動）させる。この摂動は、管理装置２０から受け取った制御信号により特定されるタイミングで行う。
【００３１】
出力光測定装置４は、出力ポート１ｂに入射した摂動が行われた状態の出力光のパワーを測定し、制御装置５に出力する。この測定値に基づいて、制御装置５は、出力光のパワーが最適な値となる駆動電圧を検出し、この駆動電圧をマイクロミラー装置３ａ，３ｂに供給する。これにより、マイクロミラー装置３ａ，３ｂのミラーは、出力ポート１ｂから出射される出力光のパワーが最適な値となる角度に制御される。
【００３２】
このように制御装置５は、管理装置２０からの制御信号に基づいてマイクロミラー装置３ａ，３ｂのミラー２３０を摂動させ、駆動電圧と出力光のパワーとの関係を求めて、出力光の最適なパワーが得られる最適な駆動電圧を求める。各制御信号は、各光スイッチ１０において、摂動を行う時期が他の光スイッチ１０と重複しないように生成されているので、各光スイッチ１０ａ〜１０ｃのミラー２３０は、他の光スイッチ１０のミラー２３０と同期せずに摂動を行うこととなる。したがって、ある時点において摂動を行う光スイッチ１０は高々１つの光スイッチ１０となる。これにより、各光スイッチ１０ａ〜１０ｃのミラー２３０の摂動が同期するのを防ぐことができるので、出力光のパワー変動が安定するため、最適な駆動電圧を検出することができ、また通信品質の劣化を防ぐことができる。
【００３３】
なお、最適な出力光のパワーとは、入力光との光学的損失が最小となる出力光のパワー、または、システムからの要求に基づく所望の出力光のパワーを意味する。このような出力光のパワーが得られるミラーの回動角を実現するときの駆動電圧を、最適な駆動電圧という。
【００３４】
また、本実施の形態において、信号生成部２２は、摂動を行うタイミングに関する制御信号を生成するようにしたが、そのタイミングの代わりに摂動の周波数や位相を特定する信号を生成するようにしてもよい。
【００３５】
例えば、周波数を特定する制御信号が生成された場合、各光スイッチ１０ａ〜１０ｃの制御装置５は、制御信号により特定される周波数でミラー２３０を摂動させる。各制御信号は、他の制御信号とミラー２３０を摂動させる周波数が異なり、かつ、他の制御信号が特定する摂動の周波数の整数倍とならないように生成されている。このため、各光スイッチ１０ａ〜１０ｃは、それぞれ異なる周波数でミラー２３０を摂動させることとなる。これにより、各光スイッチ１０ａ〜１０ｃのミラー２３０の摂動が同期するのを防ぐことができるので、結果として、通信品質の劣化を防ぐことができる。
【００３６】
また、例えば、位相を特定する制御信号が生成された場合、各光スイッチ１０ａ〜１０ｃの制御装置５は、制御信号により特定される位相でミラー２３０を摂動させる。各制御信号は、例えば同じ周波数の信号にそれぞれ時間差を付加することにより、他の制御信号とミラー２３０の摂動の位相がずれるように生成されている。このため、各光スイッチ１０ａ〜１０ｃは、それぞれ位相がずれた状態でミラー２３０を摂動させることとなる。これにより、各光スイッチ１０ａ〜１０ｃのミラー２３０の摂動が位相差０で同期するのを防ぐことができるので、結果として、通信品質の劣化を防ぐことができる。
【００３７】
このように、本実施の形態によれば、管理装置２０により光スイッチ１０ａ〜１０ｃのミラー２３０を他の光スイッチ１０のミラー２３０と非同期で摂動させる制御信号を生成することより、各光スイッチ１０ａ〜１０ｃの摂動が同期するのを防ぐことが可能となるので、結果として、通信品質の劣化を防ぐことができる。
【００３８】
［第２の実施の形態］
次に、本発明の第２の実施の形態について説明する。本実施の形態は、第１の実施の形態のように管理装置２０を設ける代わりに、図３に示すように各光スイッチ１０に入力光測定装置６および検出装置７を設け、この検出装置７による測定結果に基づいて各光スイッチ１０が摂動を行うものである。その他の構成は第１の実施の形態と同様であるので、第１の実施の形態で説明した構成要素と同等の構成要素については同じ名称および符号を付し、適宜説明を省略する。
【００３９】
入力光測定装置６は、入力ポート１ａに入力される入力光のパワーを測定する。この入力光測定装置６の構成例としては、入力光の一部を切り出して、フォトダイオードなどの受光素子で入力光のパワーを測定する構成が考えられる。
【００４０】
検出装置７は、入力光測定装置６の測定結果に基づいて、他の光スイッチ１０におけるミラーの摂動の有無、摂動の周波数、摂動の位相等を検出する。
【００４１】
［光スイッチの動作］
次に、本実施の形態にかかる光スイッチ１０の動作について説明する。
【００４２】
光スイッチ１０においてスイッチング動作を行う場合、制御装置５は、入力側マイクロミラー装置３ａと出力側マイクロミラー装置３ｂのそれぞれに駆動電圧を供給し、任意のマイクロミラー装置３ａ，３ｂのミラーを所定の角度に傾けさせ、入力ポート１ａから出射した入力光を特定の出力ポート１ｂから出射させる。このとき、制御装置５は、出力光の強度が最適となるミラー２３０の回動角が得られる駆動電圧を求めるため、検出装置７により検出された他の光スイッチ１０のミラー２３０の摂動の検出結果に基づいて、駆動電圧に周期的に変化する微小な電圧変化を与えて、ミラー２３０を微小に摂動（振動）させる。以下の説明においては、光スイッチ１０は、他の光スイッチ１０のミラー２３０の摂動と同期しないよう、他の光スイッチ１０とは異なるタイミングで摂動を行うため、３つの状態を順次行う。この３つの状態とは、摂動を行う「摂動」、前段の光スイッチ１０の状態を測定する「測定」、および、摂動や測定を行わない「待機」である。このような３つの状態の遷移について、図４を参照して説明する。
【００４３】
図１のように光スイッチ１０ａ〜１０ｃが直列に接続されている場合、各光スイッチ１０ａ〜１０ｃは、図４に示すように摂動、待機および測定を、この順番で他の光スイッチ１０と重複しないように行うことにより、他の光スイッチ１０と摂動が同期することを防ぐことができる。
【００４４】
例えば、Ｐｈａｓｅ１のとき、光スイッチ１０ａは摂動を行っているとする。このとき、光スイッチ１０ａの後段の光スイッチ１０ｂは、光スイッチ１０ａの出力光のパワー変動を測定し、光スイッチ１０ａの摂動の有無を検出する。なお、光スイッチ１０ｂの後段の光スイッチ１０ｃは、所定の時間だけ待機しているとする。
【００４５】
光スイッチ１０ａによる摂動が終了すると、Ｐｈａｓｅ２に移行する。このＰｈａｓｅ２において、光スイッチ１０ａは、所定の時間だけ待機を行う。この待機する所定の時間は、例えば光スイッチ１０ａが摂動を行った時間など適宜自由に設定することができる。光スイッチ１０ｂは、光スイッチ１０ａの出力光のパワー変動から光スイッチ１０ａの摂動が終了したことを検出すると、摂動を開始する。この摂動は、所定の時間だけ行われる。光スイッチ１０ｃは、所定の時間だけ待機を行った後、前段の光スイッチ１０ｂの出力光のパワー変動を測定し、前段の光スイッチ１０ｂの摂動の有無を検出する。
【００４６】
光スイッチ１０ｂによる摂動が終了すると、Ｐｈａｓｅ３に移行する。このＰｈａｓｅ３において、光スイッチ１０ａは、所定の時間だけ待機を行った後、前段の光スイッチ１０ｃの出力光のパワー変動を測定し、前段の光スイッチ１０ｃの摂動の有無を検出する。光スイッチ１０ｂは、摂動を終了すると、所定の時間だけ待機を行う。光スイッチ１０ｃは、光スイッチ１０ｂの出力光のパワー変動から光スイッチ１０ｂの摂動が終了したことを検出すると、摂動を開始する。
【００４７】
このようにして、光スイッチ１０ａ〜１０ｃは、「摂動」、「待機」、「測定」をＰｈａｓｅごとに順次変更しながら行う。これにより、各光スイッチ１０ａ〜１０ｃは、摂動を他の光スイッチ１０と重複せずに行うことが可能となるので、他の光スイッチ１０とミラー２３０の摂動が同期するのを防ぐことができ、結果として、通信品質の劣化を防ぐことができる。
【００４８】
なお、検出装置７が前段の光スイッチ１０の摂動の周波数を検出した場合、制御装置５は、その周波数と異なり、かつ、その周波数の整数倍にならない周波数でミラー２３０を摂動させる。これにより、各光スイッチ１０がそれぞれ異なる周波数でミラー２３０を摂動させることとなるので、複数の光スイッチ１０が直列に接続された場合であっても、各光スイッチ１０の摂動が同期するのを防ぐことができる。結果として、通信品質の劣化を防ぐことができる。
【００４９】
また、検出装置７が前段の光スイッチ１０ｃの摂動の位相を検出した場合、制御装置５は、その位相とずれた位相でミラー２３０を摂動させる。これにより、各光スイッチ１０がそれぞれずれた位相でミラー２３０を摂動させることとなるので、複数の光スイッチ１０が直列に接続された場合であっても、各光スイッチ１０の摂動が同期するのを防ぐことができる。結果として、出力光のパワーが損失することを防ぐことができる。
【００５０】
このように、本実施の形態によれば、入力光測定装置６により前段の光スイッチ１０の摂動に関する摂動情報を検出することにより、他の光スイッチ１０と同期せずにミラー２３０を摂動させることが可能となるので、出力光のパワー変動が安定するため、最適な駆動電圧を検出することができ、結果として通信品質の劣化を防ぐことができる。
【産業上の利用可能性】
【００５１】
本発明は、光スイッチやこの光スイッチを有する通信システムに適用することができる。
【図面の簡単な説明】
【００５２】
【図１】本発明の通信システムの構成を模式的に示す図である。
【図２】本発明の第１の実施の形態の光スイッチの構成を模式的に示す図である。
【図３】本発明の第２の実施の形態の光スイッチの構成を模式的に示す図である。
【図４】本発明の第２の実施の形態の光スイッチの動作を説明する図である。
【図５】光スイッチの構成を模式的に示す斜視図である。
【図６】ミラー装置の構成を模式的に示す斜視図である。
【図７】ミラー装置の構成を模式的に示す断面図である。
【符号の説明】
【００５３】
１ａ，１ｂ…入力ポート、２ａ，２ｂ…ミラーアレイ、３ａ，３ｂ…マイクロミラー装置、４…出力光測定装置、５…制御装置、６…入力光測定装置、７…検出装置、１０ａ〜１０ｃ…光スイッチ、２０…管理装置、２１…出力部、２２…信号生成部、２３…制御部、３０…ネットワーク。
【図１】
2008096675.tif 000003
【図２】
2008096675.tif 000004
【図３】
2008096675.tif 000005
【図４】
2008096675.tif 000006
【図５】
2008096675.tif 000007
【図６】
2008096675.tif 000008
【図７】
2008096675.tif 000009